(57)【特許請求の範囲】
【請求項１】
第１および第２圧縮機（２１，２２）と、
信号ケーブル（３３ａ，３３ｂ）を有する第１および第２センサ（５１，５２）と、
前記信号ケーブルが接続される第１および第２端子（３６ａ，３６ｂ）を有し、前記第１および第２圧縮機を制御する制御基板（３０）と、
を備えた冷凍装置（１）の室外ユニット（２０）であって、
前記第１センサは、前記第１圧縮機に設けられ、前記第１圧縮機の運転状態により変化する物理量を測定し、測定された前記物理量と対応する信号を前記第１又は第２端子のいずれかに対して出力し、
前記第２センサは、前記第２圧縮機に設けられ、前記第２圧縮機の運転状態により変化する前記物理量を測定し、測定された前記物理量と対応する信号を前記第１センサの出力が入力されない前記第１又は第２端子に対して出力し、
前記制御基板は、
前記第１および第２圧縮機の運転状態を把握する把握部（３８ｃ）と、
前記第１端子に対して出力された前記信号を前記第１圧縮機の前記物理量に対応する第１受付信号として受け付け、前記第２端子に対して出力された前記信号を前記第２圧縮機の前記物理量に対応する第２受付信号として受け付ける受付部（３８ｂ）と、
前記第１および第２受付信号を前記物理量に変換し、前記第１圧縮機の前記物理量と前記第２圧縮機の前記物理量として比較を行う比較部（３８ｄ）と、
前記第１圧縮機および前記第２圧縮機が運転中であり、かつ、前記第１圧縮機と前記第２圧縮機との周波数が所定値以上離れている場合に、前記把握部により把握された前記運転状態と、前記比較部による前記物理量の比較結果とに基づいて、前記信号ケーブルと前記第１および第２端子との誤接続を判定する判定部（３８ｅ）と、
前記判定部が前記誤接続と判定した場合に、前記第１端子に対して出力された前記信号を前記第２受付信号と読み替え、前記第２端子に対して出力された前記信号を前記第１受付信号と読み替える読替部（３８ｇ）と、を有する、
室外ユニット。
【請求項２】
前記制御基板は、警報発報部（３８ｈ）をさらに有し、
前記警報発報部は、前記読替部による読み替えが実行されている場合に警報を発報し、
前記制御基板は、前記警報が前記警報発報部により発報されている場合にも、前記圧縮機の運転を継続する、
請求項１に記載の室外ユニット。
【請求項３】
前記制御基板は、発停指令受付部（３８ａ）をさらに有し、
前記発停指令受付部は、前記室外ユニットの起動指令および停止指令を受け付け、
前記発停指令受付部が前記停止指令を受け付けた場合に、前記読替部による読み替えがリセットされる、
請求項１又は２に記載の室外ユニット。
【発明の詳細な説明】
【技術分野】
【０００１】
本発明は、複数の圧縮機を有する、冷凍装置の室外ユニットに関する。
【背景技術】
【０００２】
冷凍装置の室外ユニットの中には、１台の室外ユニットに複数の圧縮機を有するものがある。このような室外ユニットにおいても、通常、それぞれの圧縮機に温度センサや圧力センサ等のセンサが設けられる。そして、室外ユニットの制御基板は、各圧縮機に設けられたセンサの測定結果に基づいて、各圧縮機を制御する。
【０００３】
上記のように、センサを複数有する室外ユニットでは、配線が複雑になることから、メンテナンス時などに、センサと室外ユニットの制御基板との配線を作業員が誤接続する場合がある。
【０００４】
例えば、ある圧縮機に設けられた温度センサの配線が接続されるべき制御基板の端子に、他の圧縮機に設けられた温度センサの配線が誤接続されることがある。この場合には、制御基板は誤った温度に基づいて圧縮機の制御を行うので、正しい制御が行われない。その結果、期待される冷凍装置の能力が得られないことがある。
【０００５】
このような問題に対し、特許文献１（特開２０１１−１６９４８２号公報）に示された構成を用いれば、圧縮機に設けられたセンサの値を基に、センサの配線の誤接続を検出することが可能となる。
【発明の概要】
【発明が解決しようとする課題】
【０００６】
しかし、特許文献１の構成では、室外ユニットの試運転時やサービスモード（メンテナンスモード時）において誤配線が確認されるに過ぎず、それ以外のタイミングでは、センサの配線の誤接続が確認できない。また、センサの配線の誤接続が確認された場合には、作業員が誤接続を解消するまでは室外ユニットを停止せざるを得ず、誤接続の解消まで長時間冷凍装置を停止しなくてはならない可能性があることを本願発明者は見い出した。
【０００７】
本発明の課題は、複数の圧縮機を有する、冷凍装置の室外ユニットにおいて、圧縮機に設けられたセンサの配線に誤接続がある場合であっても、継続して運転可能な室外ユニットを提供することにある。
【課題を解決するための手段】
【０００８】
本発明の第１観点に係る室外ユニットは、冷凍装置の室外ユニットであって、第１および第２圧縮機と、信号ケーブルを有する第１および第２センサと、制御基板と、を備える。制御基板は、信号ケーブルが接続される第１および第２端子を有し、第１および第２圧縮機を制御する。第１センサは、第１圧縮機に設けられ、第１圧縮機の運転状態により変化する物理量を測定し、測定された物理量と対応する信号を第１又は第２端子のいずれかに対して出力する。第２センサは、第２圧縮機に設けられ、第２圧縮機の運転状態により変化する物理量を測定し、測定された物理量と対応する信号を第１センサの出力が入力されない第１又は第２端子に対して出力する。制御基板は、把握部と、受付部と、比較部と、判定部と、読替部とを有する。把握部は、第１および第２圧縮機の運転状態を把握する。受付部は、第１端子に対して出力された信号を第１圧縮機の物理量に対応する第１受付信号として受け付け、第２端子に対して出力された信号を第２圧縮機の物理量に対応する第２受付信号として受け付ける。比較部は、第１および第２受付信号を物理量に変換し、第１圧縮機の物理量と第２圧縮機の物理量として比較を行う。判定部は、第１圧縮機および第２圧縮機が運転中であり、かつ、第１圧縮機と第２圧縮機との周波数が所定値以上離れている場合に、把握部により把握された運転状態と、比較部による物理量の比較結果とに基づいて、信号ケーブルと第１および第２端子との誤接続を判定する。読替部は、判定部が誤接続と判定した場合に、第１端子に対して出力された信号を第２受付信号と読み替え、第２端子に対して出力された信号を第１受付信号と読み替える。
【０００９】
ここでは、圧縮機の運転状態と、制御基板の端子に対して出力された圧縮機に設けられたセンサの測定する物理量の比較結果とに基づいて、センサの信号ケーブルの誤接続が判定され、誤接続と判定された場合には、信号ケーブルが誤接続されていると判定された２つの端子間で受付信号の読み替えが行われる。
【００１０】
その結果、この室外ユニットでは、運転中であってもセンサの信号ケーブルの誤接続が判定可能であり、第１センサと第２センサとの信号ケーブルが反対に接続されても、誤接続に対応した制御が実行される。つまり、誤接続を修正する配線作業が直ちに必要では無いため、室外ユニットを停止することなく運転継続可能である。
【００１１】
なお、ここでは、第１センサの信号ケーブルが第１端子に接続され、第２センサの信号ケーブルが第２端子に接続された状態が正しい接続状態である。
【００１２】
本発明の他の観点に係る室外ユニットでは、制御基板は、判定許可部をさらに有する。判定許可部は、把握部により、第１圧縮機が運転中であり、かつ、第２圧縮機が停止中と把握された場合に、判定部に判定を許可する。
【００１３】
ここでは、第１圧縮機が運転中で、かつ、第２圧縮機が停止中に、第１および第２端子が受け付けた第１および第２受付信号に対応する物理量の比較が行われるので、比較される物理量の間に差が生じやすく、正確に信号ケーブルの誤接続を判定することが容易である。その結果、信号ケーブルの誤接続の影響を受けずに室外ユニットを運転できる。
【００１４】
本発明の第２観点に係る室外ユニットは、第１観点に係る室外ユニットであって、制御基板は、警報発報部をさらに有する。警報発報部は、読替部による読み替えが実行されている場合に警報を発報する。制御基板は、警報が警報発報部により発報されている場合にも、圧縮機の運転を継続する。
【００１５】
ここでは、警報が発報されるので、冷凍装置のユーザや作業員が信号ケーブルの誤接続を容易に認識できる。一方、警報の発報中も室外ユニットの運転は継続されるので、信号ケーブルの誤接続の影響を受けずに室外ユニットを運転できる。
【００１６】
本発明の第３観点に係る室外ユニットは、第１又は第２観点に係る室外ユニットであって、制御基板は、発停指令受付部をさらに有する。発停指令受付部は、室外ユニットの起動指令および停止指令を受け付ける。発停指令受付部が停止指令を受け付けた場合に、読替部による読み替えがリセットされる。
【００１７】
ここでは、室外ユニットが停止指令により停止した場合には、センサの信号ケーブルの誤接続を解消する作業が実施される場合も多いことから入力信号の読み替えがリセットされる。一方で、再度室外ユニットが起動した場合には、再びセンサの信号ケーブルの誤接続の判定が行われる。この結果、常にセンサの配線の誤接続があるか否かが正しく認識されやすい。
【００１８】
本発明の他の観点に係る室外ユニットは、冷凍装置の室外ユニットであって、第１から第ｎの圧縮機と、信号ケーブルを有する第１から第ｎのセンサと、制御基板と、を備える。制御基板は、信号ケーブルが接続される第１から第ｎの端子を有し、圧縮機を制御する。第ｋ（ｋはｎ以下の整数）のセンサは、第ｋの圧縮機に設けられ、第ｋの圧縮機の運転状態により変化する物理量を測定し、測定された物理量と対応する信号を端子のいずれかに対して出力する。制御基板は、把握部と、受付部と、比較部と、判定部と、読替部とを有する。把握部は、第１から第ｎの圧縮機の運転状態を把握する。受付部は、第１から第ｎの端子に対して出力された信号を、それぞれ、第１から第ｎの圧縮機の物理量に対応する第１から第ｎの受付信号として受け付ける。比較部は、第１から第ｎの受付信号を物理量に変換し、第１の圧縮機の物理量と、第２から第ｎの圧縮機の物理量として比較する。判定部は、把握部により把握された運転状態と、比較部による物理量の比較結果とに基づいて、第１のセンサの信号ケーブルと第ｍ（ｍは２以上ｎ以下の整数）の端子との誤接続を判定する。読替部は、判定部が誤接続と判定した場合に、第ｍの端子に対して出力された信号を第１の受付信号と読み替える。
【００１９】
ここでは、第１のセンサの信号ケーブルが第ｍ（第１以外）の端子と誤接続しているか否かの判定が行われ、誤接続と判定された場合に第ｍの端子に入力された信号が第１のセンサの出力信号であると読み替えられる。その結果、運転中もセンサの信号ケーブルの誤接続を判定可能で、誤接続が存在する場合にも適切な制御が実行される。
【発明の効果】
【００２０】
本発明の第１観点に係る室外ユニットでは、圧縮機の運転状態と、制御基板の端子に対して出力された圧縮機に設けられたセンサの測定する物理量の比較結果とに基づいて、センサの信号ケーブルの誤接続が判定され、誤接続と判定された場合には、信号ケーブルが誤接続されていると判定された２つの端子間で受付信号の読み替えが行われる。
【００２１】
その結果、この室外ユニットでは、運転中であってもセンサの信号ケーブルの誤接続が判定可能であり、第１センサと第２センサとの信号ケーブルが反対に接続されても、誤接続に対応した制御が実行される。つまり、誤接続を修正する配線作業が直ちに必要では無いため、室外ユニットを停止することなく運転継続可能である。
【００２２】
本発明の他の観点に係る室外ユニットでは、正確に信号ケーブルの誤接続を判定することが容易である。
【００２３】
本発明の第２観点に係る室外ユニットでは、信号ケーブルの誤接続を容易に認識可能で、さらに、信号ケーブルの誤接続の影響を受けずに室外ユニットを運転できる。
【００２４】
本発明の第３観点に係る室外ユニットでは、常に誤接続があるか否かが正しく認識されやすい。
【００２５】
本発明の他の観点に係る室外ユニットでは、運転中もセンサの信号ケーブルの誤接続を判定可能で、誤接続が存在する場合にも適切な制御が実行される。つまり、誤接続を修正する配線作業が直ちに必要では無いため、室外ユニットを停止することなく運転継続可能である。
【図面の簡単な説明】
【００２６】
【図１】本発明の第１実施形態に係る室外ユニットが採用された空気調和装置の概略構成図である。
【図２】本発明の第１実施形態に係る室外ユニットを含む空気調和装置の制御ブロック図である。第１および第２温度センサの信号ケーブルが制御基板の第１および第２温度センサ用端子に正常に接続された状態を示す。
【図３】第１および第２温度センサの信号ケーブルが制御基板の第１および第２温度センサ用端子と誤接続された状態における、本発明の第１実施形態に係る室外ユニットを含む空気調和装置の制御ブロック図である。
【図４】本発明の第１実施形態に係る第１および第２温度センサの信号ケーブルの誤接続を判定し、誤接続と判定された場合には信号の読み替えを行う処理のフローチャートである。
【図５】図４中のステップＳ２１０の第１判定の制御フローチャートである。
【図６】図４中のステップＳ２２０の第２判定の制御フローチャートである。
【図７】本発明の第２実施形態に係る室外ユニットが採用された空気調和装置の概略構成図である。
【図８】本発明の第２実施形態に係る室外ユニットを含む空気調和装置の制御ブロック図である。第１〜第３温度センサの信号ケーブルが制御基板の第１〜第３温度センサ用端子に正常に接続された状態を示す。
【図９】本発明の第２実施形態に係る第１〜第３温度センサの信号ケーブルの誤接続を判定し、誤接続と判定された場合には信号の読み替えを行う処理のフローチャートである。ステップＳ４０１からステップＳ４１０までを示している。
【図１０】本発明の第２実施形態に係る第１〜第３温度センサの信号ケーブルの誤接続を判定し、誤接続と判定された場合には信号の読み替えを行う処理のフローチャートである。ステップＳ４１１からステップＳ４１８までを示している。
【発明を実施するための形態】
【００２７】
＜第１実施形態＞
以下、図面を参照しながら、本発明の実施形態について説明する。
【００２８】
（１）空気調和装置の概要
（１−１）全体構成
図１は、本発明にかかる冷凍装置の一実施形態としての空気調和装置１の概略構成図である。空気調和装置１は、図１に示すように、室外ユニット２０と、室内ユニット４０と、室外ユニット２０と室内ユニット４０とを接続する液冷媒連絡配管７１およびガス冷媒連絡配管７２と、リモコン９０とを有する。
【００２９】
（１−２）室内ユニット
室内ユニット４０は、空気調和の対象である室内に設置される。室内ユニット４０は、室内熱交換器４１と、室内ファン４２と、室内ユニットコントローラ４３とを有する。
【００３０】
室内熱交換器４１は、伝熱管と多数の伝熱フィンとにより構成されたクロスフィン式のフィン・アンド・チューブ型熱交換器である。冷房運転時には冷媒の蒸発器として機能して室内空気を冷却し、暖房運転時には冷媒の凝縮器として機能して室内空気を加熱する。室内熱交換器４１の液側は液冷媒連絡配管７１に接続され、室内熱交換器４１のガス側はガス冷媒連絡配管７２に接続される。
【００３１】
室内ファン４２は、図示しないファンモータにより回転され、室内空気を取り込んで室内熱交換器４１に送風し、室内熱交換器４１と室内空気との熱交換を促進する。
【００３２】
室内ユニットコントローラ４３は、ＣＰＵ及びメモリからなるマイクロコンピュータである。室内ユニットコントローラ４３は、後述するリモコン９０と配線９１で接続されている。また、室内ユニットコントローラ４３は、後述する室外ユニット２０の制御基板３０と、配線３１により接続されている。室内ユニットコントローラ４３と、リモコン９０および制御基板３０との間では、制御信号や各種情報のやり取りが行われる。
【００３３】
室内ユニットコントローラ４３は、室内ユニット４０を構成する各種機器の動作を制御する。具体的には、室内ユニットコントローラ４３は、図示しない吸込温度センサやファンモータ等と配線により接続され、吸込温度センサの測定値や、後述するリモコン９０からの各種指令等に基づいてファンモータ等の各種機器の制御を行う。
【００３４】
（１−３）室外ユニット
室外ユニット２０は、主に、第１圧縮機２１，第２圧縮機２２、四路切換弁２３、室外熱交換器２４、膨張弁２６、室外ファン２５、第１および第２圧縮機２１，２２の吐出口２１ａ，２２ａに設けられた第１および第２温度センサ５１，５２、第１および第２圧縮機用制御基板６１，６２および制御基板３０を有する。第１および第２圧縮機２１，２２、四路切換弁２３、室外熱交換器２４、および、膨張弁２６は、冷媒配管により接続される。
【００３５】
（１−４）リモコン
リモコン９０は、図２に示すように、入力部９２ａ、通信部９２ｂ、および出力部９２ｃを有する。
【００３６】
入力部９２ａは、ユーザの入力を受け付ける。ユーザの入力には、空気調和装置１の起動および停止や、運転モードや設定温度の変更を含む。
【００３７】
通信部９２ｂは、配線９１により室内ユニットコントローラ４３と接続され、室内ユニットコントローラ４３との間で制御信号および各種情報のやり取りを行う。具体的には、通信部９２ｂから、室内ユニットコントローラ４３へは、入力部９２ａに入力されたユーザの入力に基づく制御信号が送信される。室内ユニットコントローラ４３から、通信部９２ｂへは、室外ユニット２０および室内ユニット４０の運転状態に関する情報が送信される。通信部９２ｂが受信する室外ユニット２０の運転状態には、後述する、室外ユニット２０の第１および第２温度センサ５１，５２の信号ケーブル３３ａ，３３ｂの誤接続の警報を含む。
【００３８】
出力部９２ｃには、入力部９２ａに入力されたユーザの入力や、通信部９２ｂが受け付けた室外ユニット２０および室内ユニット４０の運転状態に関する情報等が表示される。出力部９２ｃに表示される内容には、室外ユニット２０の第１および第２温度センサ５１，５２の信号ケーブル３３ａ，３３ｂの誤接続の警報を含む。
【００３９】
（２）室外ユニットの詳細構成
以下に室外ユニット２０の詳細構成について説明する。
【００４０】
（２−１）冷媒配管による構成機器の接続
室外ユニット２０の構成機器の冷媒配管による接続について説明する。
【００４１】
第１および第２圧縮機２１，２２の吸入口２１ｂ，２２ｂと四路切換弁２３とは、吸入管８１によって接続される。第１および第２圧縮機２１，２２の吐出口２１ａ，２２ａと四路切換弁２３とは、吐出管８２によって接続される。四路切換弁２３と室外熱交換器２４のガス側とは、第１ガス冷媒管８３によって接続される。室外熱交換器２４と液冷媒連絡配管７１とは、液冷媒管８４によって接続される。液冷媒管８４には、膨張弁２６が設けられる。四路切換弁２３とガス冷媒連絡配管７２とは、第２ガス冷媒管８５によって接続される。
【００４２】
（２−２）圧縮機
第１および第２圧縮機２１，２２はガス冷媒を吸入して圧縮する。第１および第２圧縮機２１，２２は、インバータ式圧縮機である。第１および第２圧縮機２１，２２の図示しないモータと、後述する第１および第２圧縮機用制御基板６１，６２とは、それぞれ配線３２ａ，３２ｂにより接続される。配線３２ａ，３２ｂは、図２のように、第１および第２圧縮機用制御基板６１，６２の端子３５ａ，３５ｂにそれぞれ接続される。
【００４３】
（２−３）四路切換弁
四路切換弁２３は、空気調和装置１の冷房運転と暖房運転との切換時に、冷媒の流れ方向を切り換える。冷房運転時には吐出管８２と第１ガス冷媒管８３とを接続するとともに吸入管８１と第２ガス冷媒管８５とを接続する。一方、暖房運転時には吐出管８２と第２ガス冷媒管８５とを接続するとともに吸入管８１と第１ガス冷媒管８３とを接続する。
【００４４】
（２−４）室外熱交換器
室外熱交換器２４は、伝熱管と多数の伝熱フィンとにより構成されたクロスフィン式のフィン・アンド・チューブ型熱交換器である。室外熱交換器２４は、室外空気との熱交換によって、冷房運転時には冷媒の凝縮器として機能し、暖房運転時には冷媒の蒸発器として機能する。
【００４５】
（２−５）膨張弁
膨張弁２６は、冷媒圧力や冷媒流量の調節を行うために設けられ、冷房運転時および暖房運転時のいずれにおいても、冷媒を膨張させる機能を有する。
【００４６】
（２−６）室外ファン
室外ファン２５は、図示しないファンモータにより回転され室外ユニット２０内に室外空気を取り込む。取り込まれた室外空気は、室外熱交換器２４を通過し、最終的に室外ユニット２０外へ排出される。室外ファン２５は、室外熱交換器２４と室外空気との熱交換を促進する。
【００４７】
（２−７）温度センサ
第１および第２温度センサ５１，５２は、第１および第２圧縮機２１，２２の吐出口２１ａ，２２ａにそれぞれ設けられている。第１および第２温度センサ５１，５２は、それぞれ、第１および第２圧縮機２１，２２の吐出口２１ａ，２２ａの配管の温度を測定するためのサーミスタである。第１および第２温度センサ５１，５２は、測定された温度に対応する信号を制御基板３０に対して送信するための信号ケーブル３３ａ，３３ｂをそれぞれ有する。信号ケーブル３３ａ，３３ｂは、図２のように、後述する制御基板３０が有する第１および第２温度センサ用端子３６ａ，３６ｂに接続される。
【００４８】
（２−８）圧縮機用制御基板
第１および第２圧縮機用制御基板６１，６２は、後述する制御基板３０の圧縮機制御部３８ｃからの指示を受け、第１および第２圧縮機２１，２２を回転されるためのインバータ波形をそれぞれ生成し、第１および第２圧縮機２１，２２を運転させる。
【００４９】
第１および第２圧縮機用制御基板６１，６２は、第１および第２圧縮機２１，２２の図示しないモータからの配線３２ａ，３２ｂを接続する端子３５ａ，３５ｂを有する。第１および第２圧縮機用制御基板６１，６２と、制御基板３０とは、配線３９ａにより接続される。
【００５０】
（２−９）制御基板
制御基板３０は、室外ユニット２０を制御する。図２に、制御基板３０を含む空気調和装置１の制御ブロック図を示す。
【００５１】
制御基板３０は、各種機器からの配線を接続するための端子を有する。端子には、第１および第２温度センサ５１，５２の信号ケーブル３３ａ，３３ｂが接続される第１および第２温度センサ用端子３６ａ，３６ｂと、第１および第２圧縮機用制御基板６１，６２からの配線３９ａが接続される圧縮機用端子３９と、を含む。
【００５２】
また、制御基板３０は、ＣＰＵ及びメモリからなるマイクロコンピュータを有し、マイクロコンピュータは記憶部３７および制御部３８を有する。
【００５３】
記憶部３７は、読替記憶領域３７ａおよび停止圧縮機記憶領域３７ｂを有する。
【００５４】
制御部３８は、記憶部３７に記憶されているプログラムを読み出して実行することにより、通信部３８ａ、信号受付部３８ｂ、圧縮機制御部３８ｃ、比較部３８ｄ、判定部３８ｅ、判定許可部３８ｆ、読替部３８ｇ，警報発報部３８ｈ，時間管理部３８ｉとして機能する。
【００５５】
（２−９−１）温度センサ用端子
第１および第２温度センサ用端子３６ａ，３６ｂには、第１および第２温度センサ５１，５２の信号ケーブル３３ａ，３３ｂが接続される。正常な接続状態では、図２のように、第１温度センサ用端子３６ａに信号ケーブル３３ａが、第２温度センサ用端子３６ｂに信号ケーブル３３ｂが接続される。誤接続状態では、図３のように、第１温度センサ５１の信号ケーブル３３ａは第２温度センサ用端子３６ｂに、第２温度センサ５２の信号ケーブル３３ｂは第１温度センサ用端子３６ａに接続される。
【００５６】
第１および第２温度センサ用端子３６ａ，３６ｂには、第１および第２温度センサ５１，５２から、測定温度（第１および第２圧縮機２１，２２の吐出口２１ａ，２２ａの温度）に対応した信号が入力される。入力された信号は、後述する信号受付部３８ｂにより処理される。
【００５７】
（２−９−２）圧縮機用端子
圧縮機用端子３９は、第１および第２圧縮機用制御基板６１，６２からの配線３９ａが接続される。圧縮機用端子３９からは、後述する圧縮機制御部３８ｃにより決定された第１および第２圧縮機２１，２２の始動および停止と周波数とが、第１および第２圧縮機用制御基板６１，６２に対しての指示として送信される。
【００５８】
（２−９−３）記憶部
（２−９−３−１）読替記憶領域
読替記憶領域３７ａには、後述する読替部３８ｇが信号の読み替えを実行する旨が記憶される。
【００５９】
読替記憶領域３７ａの記憶および記憶のリセット（消去）は、後述する判定部３８ｅの判定に基づいて行われる。また、後述する通信部３８ａが室外ユニット２０の停止指令を受け付けた場合、読替記憶領域３７ａの記憶はリセットされる。
【００６０】
（２−９−３−２）停止圧縮機記憶領域
停止圧縮機記憶領域３７ｂには、停止中の第１又は第２圧縮機２１，２２の情報が記憶される。
【００６１】
停止圧縮機記憶領域３７ｂの記憶は、後述する判定許可部３８ｆにより書き込まれる。停止圧縮機記憶領域３７ｂへの情報の書き込みに関しては後述する。
【００６２】
（２−９−４）制御部
（２−９−４−１）通信部
通信部３８ａは、室内ユニットコントローラ４３と配線３１により接続され、制御信号や各種情報のやり取りを行う。
【００６３】
室内ユニットコントローラ４３から通信部３８ａに送信される制御信号には、室外ユニット２０の起動指令および停止指令を含む。つまり、通信部３８ａは、発停指令受付部の一例である。室外ユニット２０の起動指令および停止指令は、例えば、リモコン９０の入力部９２ａが、ユーザから空気調和装置１の起動又は停止を受け付けた時に通信部３８ａに対して送信される。
【００６４】
通信部３８ａから室内ユニットコントローラ４３に送信される情報には、後述する警報発報部３８ｈが発報する警報を含む。警報は、室内ユニットコントローラ４３を介してリモコン９０の通信部９２ｂにも送信される。
【００６５】
（２−９−４−２）信号受付部
信号受付部３８ｂは、第１および第２温度センサ用端子３６ａ，３６ｂに入力された信号を受け付ける。具体的には、第１温度センサ用端子３６ａが受け付けた信号を第１温度センサ５１からの第１受付信号とみなして受け付け、第２温度センサ用端子３６ｂが受け付けた信号を第２温度センサ５２からの第２受付信号とみなして受け付ける。この処理は、図２のように第１および第２温度センサ５１，５２の信号ケーブル３３ａ，３３ｂが正常に接続される場合に限らず、図３のように信号ケーブル３３ａ，３３ｂが誤接続されている場合も同様である。
【００６６】
読替記憶領域３７ａに後述する読替部３８ｇが信号の読み替えを実行する旨が記憶されていない場合には、信号受付部３８ｂが受け付けた第１および第２受付信号は、後述する圧縮機制御部３８ｃおよび比較部３８ｄに送信される。
【００６７】
（２−９−４−３）圧縮機制御部
圧縮機制御部３８ｃは、第１および第２圧縮機２１，２２の図示しないモータの、始動および停止と周波数（回転数）とを決定し、第１および第２圧縮機用制御基板６１，６２に指示を与えることで第１および第２圧縮機２１，２２を制御する。なお、圧縮機制御部３８ｃは、制御対象の第１および第２圧縮機２１，２２の運転状態を把握している。つまり、圧縮機制御部３８ｃは、把握部の一例である。
【００６８】
第１圧縮機２１のモータの始動および停止と周波数は、信号受付部３８ｂ又は後述する読替部３８ｇから送信された第１受付信号、図示しない室外ユニット２０内の各種センサからの信号、および通信部３８ａが受け付けた制御信号等に基づいて所定の方法で決定される。
【００６９】
第２圧縮機２２のモータの始動および停止と周波数は、信号受付部３８ｂ又は後述する読替部３８ｇから送信された第２受付信号、図示しない室外ユニット２０内の各種センサからの信号、および通信部３８ａが受け付けた制御信号等に基づいて所定の方法で決定される。
【００７０】
なお、圧縮機制御部３８ｃは、空気調和装置１の負荷が小さい場合には、第１および第２圧縮機２１，２２のうち、予め決定された圧縮機（優先圧縮機）だけが運転されるよう制御する。本実施例では、第１圧縮機２１が優先圧縮機である。また、圧縮機制御部３８ｃは、空気調和装置１の負荷が大きくなり、第１圧縮機２１の定格運転だけでは対応できなくなると、第２圧縮機２２が運転を開始するように制御する。
【００７１】
（２−９−４−４）比較部
比較部３８ｄは、第１および第２温度センサ５１，５２として使用されるサーミスタの特性を用いて、第１および第２受付信号を温度に変換し、それぞれ、第１圧縮機２１の吐出口２１ａにおける第１温度Ｔ１、第２圧縮機２２の吐出口２２ａにおける第２温度Ｔ２として算出する。そして、第１温度Ｔ１と第２温度Ｔ２とを比較し、両者の温度差ΔＴ＝Ｔ１−Ｔ２［℃］を算出する。
【００７２】
（２−９−４−５）判定部
判定部３８ｅは、圧縮機制御部３８ｃにより把握されている第１および第２圧縮機２１，２２の運転状態と、比較部３８ｄの比較結果とに基づいて、第１および第２温度センサ５１，５２の信号ケーブル３３ａ，３３ｂと、第１および第２温度センサ用端子３６ａ，３６ｂとの誤接続を判定する。
【００７３】
判定部３８ｅにより誤接続であると判定され、読替記憶領域３７ａに後述する読替部３８ｇが信号の読み替えを実行する旨が記憶されていない場合には、読替記憶領域３７ａに、読替部３８ｇが信号の読み替えを実行する旨が記憶される。
【００７４】
判定部３８ｅにより誤接続であると判定され、読替記憶領域３７ａに読替部３８ｇが信号の読み替えを実行する旨が記憶されている場合には、読替記憶領域３７ａの記憶はリセットされる。
【００７５】
判定部３８ｅによる判定については後ほど詳述する。
【００７６】
（２−９−４−６）判定許可部
判定許可部３８ｆは、圧縮機制御部３８ｃにより把握されている第１および第２圧縮機２１，２２の運転状態に基づいて判定部３８ｅの判定を許可する。
【００７７】
また、判定許可部３８ｆは、停止圧縮機記憶領域３７ｂに、停止中の第１又は第２圧縮機２１，２２の情報を記憶させる。
【００７８】
判定許可部３８ｆによる処理については後ほど詳述する。
【００７９】
（２−９−４−７）読替部
読替部３８ｇは、読替記憶領域３７ａに読替部３８ｇが信号の読み替えを実行する旨が記憶されている場合に、第１温度センサ用端子３６ａが受け付けた信号を第２温度センサ５２からの第２受付信号と読み替え、第２温度センサ用端子３６ｂが受け付けた信号を第１温度センサ５１からの第１受付信号と読み替える。読替部３８ｇは、読替記憶領域３７ａの記憶がリセットされると、読み替えをリセットする（読み替えを中止する）。
【００８０】
実際には、信号受付部３８ｂが第１受付信号とみなして受け付けた信号を第２受付信号とみなし、信号受付部３８ｂが第２受付信号とみなして受け付けた信号を第１受付信号とみなす。
【００８１】
読替部３８ｇが信号の読替を実行している場合、すなわち読替記憶領域３７ａに読替部３８ｇが信号の読み替えを実行する旨が記憶されている場合には、読替部３８ｇに読み替えられた第１および第２受付信号は、圧縮機制御部３８ｃおよび比較部３８ｄに送信される。
【００８２】
（２−９−４−８）警報発報部
警報発報部３８ｈは、読替記憶領域３７ａに読替部３８ｇが信号の読み替えを実行する旨が記憶されている時に警報を発報する。より具体的には、通信部３８ａに、室内ユニットコントローラ４３に対して警報を送信するよう指示する。
【００８３】
（２−９−４−９）時間管理部
時間管理部３８ｉは、制御基板３０の実行する各種制御の時間管理を行う。
【００８４】
時間管理部３８ｉは、信号ケーブル３３ａ，３３ｂと、第１および第２温度センサ用端子３６ａ，３６ｂとの誤接続の判定の際に使用される。詳細については後述する。
【００８５】
（３）誤接続判定および誤接続対応のための処理
以下に、第１および第２温度センサ５１，５２の信号ケーブル３３ａ，３３ｂと、第１および第２温度センサ用端子３６ａ，３６ｂと、が誤接続であるか否かを判定し、誤接続と判定される場合に信号を読み替える処理フローについて、図４〜図６のフローチャートに基づいて説明する。
【００８６】
まず、ステップＳ２０１では、判定許可部３８ｆは、圧縮機制御部３８ｃにより把握されている第１および第２圧縮機２１，２２の運転状態を用いて、第１又は第２圧縮機２１，２２のいずれか一方が運転中で、他方が停止中であるかの判断を行う。条件を満たす場合、すなわち、第１および第２圧縮機２１，２２の一方が運転中であり、他方が停止中である場合には、ステップＳ２０２に進む。条件を満たさない場合には、ステップＳ２０１に戻る。一方の圧縮機だけが動いている状態とは、例えば、優先圧縮機だけが稼動している状態であるが、これに限られるものではない。
【００８７】
ステップＳ２０２では、判定許可部３８ｆは、判定部３８ｅに判定を許可する。同時に、判定許可部３８ｆは、第１又は第２圧縮機２１，２２のいずれが停止中であるかを停止圧縮機記憶領域３７ｂに記憶させる。その後、ステップＳ２０３に進む。
【００８８】
ステップＳ２０３では、時間管理部３８ｉの管理するタイマーが起動される。その後ステップＳ２０４に進む。
【００８９】
ステップＳ２０４では、時間管理部３８ｉの管理するタイマーが起動してから所定時間が経過したかが判断される。ここでは、所定時間は１分である。１分が未経過と判断された場合にはステップＳ２０５に進む。１分が経過したと判断されればステップＳ２０７に進む。
【００９０】
ステップＳ２０５では、判定許可部３８ｆは、圧縮機制御部３８ｃにより把握されている第１および第２圧縮機２１，２２の運転状態を用いて、第１又は第２圧縮機２１，２２のいずれか一方が運転中で、他方が停止中であるかの判断を再度行う。条件を満たすと判断された場合にはステップＳ２０６に進む。条件を満たさないと判断された場合には、ステップＳ２０１に戻る。
【００９１】
ステップＳ２０６では、ステップＳ２０５時に圧縮機制御部３８ｃにより停止していると把握された第１又は第２圧縮機２１，２２と、停止圧縮機記憶領域３７ｂに記憶された第１又は第２圧縮機２１，２２とが一致するか否かが判断される。一致する場合にはステップＳ２０４に戻る。一致しない場合には、ステップＳ２０３に戻る。
【００９２】
ステップＳ２０７では、停止圧縮機記憶領域３７ｂの記憶に基づいて、第１圧縮機２１が停止中か否かが判断される。第１圧縮機２１が停止中と判断されればＳ２１０の第１判定に、第２圧縮機２２が停止中であると判定されればＳ２２０の第２判定に進む。
【００９３】
第１判定について、図５に基づいて説明する。
【００９４】
ステップＳ２１１では、判定部３８ｅが、比較部３８ｄに対し比較結果としてΔＴを送信するよう要求する。その後ステップＳ２１２に進む。
【００９５】
ステップＳ２１２では、判定部３８ｅが、比較部３８ｄの比較結果を用いて誤接続の判定を行う。第１判定では、第１圧縮機２１が停止中で、第２圧縮機２２が運転中であるため、第１圧縮機２１よりも第２圧縮機２２の方が温度が高くなることを利用して誤接続の判定が行われる。
【００９６】
具体的には、判定部３８ｅは、比較部３８ｄから受け付けたΔＴが、ΔＴ＝Ｔ１−Ｔ２＜−１０℃という条件を満たすか否かを判定する。条件を満たす場合にはステップＳ２０１に戻る。一方、条件を満たさない場合には、ステップＳ２１３に進む。
【００９７】
ステップＳ２１３では、判定部３８ｅが、読替記憶領域３７ａに読替部３８ｇが信号の読み替えを実行する旨が記憶されているか否かの判断を行う。読替記憶領域３７ａに信号の読み替えを実行する旨が記憶されていると判断される場合にはステップＳ２１４に進む。記憶されていないと判断される場合にはステップＳ２１５に進む。
【００９８】
ステップＳ２１４では、読替記憶領域３７ａの記憶がリセットされる。その後ステップＳ２０１に戻る。
【００９９】
ステップＳ２１５では、読替記憶領域３７ａに、読替部３８ｇが信号の読み替えを実行する旨が記憶される。その後ステップＳ２０１に戻る。
【０１００】
第２判定について、図６に基づいて説明する。
【０１０１】
ステップＳ２２１では、判定部３８ｅが、比較部３８ｄに対し比較結果としてΔＴを送信するよう要求する。その後ステップＳ２２２に進む。
【０１０２】
ステップＳ２２２では、判定部３８ｅが、比較部３８ｄの比較結果を用いて誤接続の判定を行う。第２判定では、第１圧縮機２１が運転中で、第２圧縮機２２が停止中であるため、第１圧縮機２１の温度は第２圧縮機２２の温度よりも高くなることを利用して誤接続の判定が行われる。
【０１０３】
具体的には、判定部３８ｅは、比較部３８ｄから受け付けたΔＴが、ΔＴ＝Ｔ１−Ｔ２＞１０℃という条件を満たすか否かを判定する。条件を満たす場合にはステップＳ２０１に戻る。一方、条件を満たさない場合には、ステップＳ２２３に進む。
【０１０４】
ステップＳ２２３では、判定部３８ｅが、読替記憶領域３７ａに読替部３８ｇが信号の読み替えを実行する旨が記憶されているか否かの判断を行う。読替記憶領域３７ａに信号の読み替えを実行する旨が記憶されていると判断される場合にはステップＳ２２４に進む。記憶されていないと判断される場合にはステップＳ２２５に進む。
【０１０５】
ステップＳ２２４では、読替記憶領域３７ａの記憶がリセットされる。その後ステップＳ２０１に戻る。
【０１０６】
ステップＳ２２５では、読替記憶領域３７ａに、読替部３８ｇが信号の読み替えを実行する旨が記憶される。その後ステップＳ２０１に戻る。
【０１０７】
（４）特徴
（４−１）
本実施形態では、空気調和装置１の室外ユニット２０は、第１および第２圧縮機２１，２２と、信号ケーブル３３ａ，３３ｂを有する第１および第２温度センサ５１，５２と、制御基板３０と、を備える。制御基板３０は、信号ケーブル３３ａ，３３ｂが接続される第１および第２温度センサ用端子３６ａ，３６ｂを有し、第１および第２圧縮機２１，２２を制御する。第１温度センサ５１は、第１圧縮機２１に設けられ、第１圧縮機２１の運転状態により変化する温度を測定し、測定された温度と対応する信号を第１又は第２温度センサ用端子３６ａ，３６ｂのいずれかに対して出力する。第２温度センサ５２は、第２圧縮機２２に設けられ、第２圧縮機２２の運転状態により変化する温度を測定し、測定された温度と対応する信号を第１温度センサ５１の出力が入力されない第１又は第２温度センサ用端子３６ｂ，３６ａに対して出力する。制御基板３０は、把握部としての圧縮機制御部３８ｃと、受付部としての信号受付部３８ｂと、比較部３８ｄと、判定部３８ｅと、読替部３８ｇとを有する。圧縮機制御部３８ｃは、第１および第２圧縮機２１，２２の運転状態を把握する。信号受付部３８ｂは、第１温度センサ用端子３６ａに対して出力された信号を第１圧縮機２１の温度に対応する第１受付信号として受け付け、第２温度センサ用端子３６ｂに対して出力された信号を第２圧縮機の温度に対応する第２受付信号として受け付ける。比較部３８ｄは、第１および第２受付信号を温度に変換し、第１圧縮機２１の第１温度Ｔ１と第２圧縮機２２の第２温度Ｔ２として比較を行う。判定部３８ｅは、圧縮機制御部３８ｃにより把握された運転状態と、比較部３８ｄによる温度の比較結果とに基づいて、信号ケーブル３３ａ，３３ｂと第１および第２温度センサ用端子３６ａ，３６ｂとの誤接続を判定する。読替部３８ｇは、判定部３８ｅが誤接続と判定した場合に、第１温度センサ用端子３６ａに対して出力された信号を第２受付信号と読み替え、第２温度センサ用端子３６ｂに対して出力された信号を第１受付信号と読み替える。
【０１０８】
これにより、この室外ユニット２０では、運転中であってもセンサの信号ケーブルの誤接続が判定可能であり、第１温度センサ５１と第２温度センサ５２との信号ケーブル３３ａ，３３ｂが誤接続されても、誤接続に対応した制御が実行される。つまり、誤接続を修正する配線作業が直ちに必要では無いため、室外ユニット２０を停止することなく運転継続可能である。
【０１０９】
なお、ここでは、第１温度センサ５１の信号ケーブル３３ａが第１温度センサ用端子３６ａに接続され、第２温度センサ５２の信号ケーブル３３ｂが第２温度センサ用端子３６ｂに接続された状態が正しい接続状態である。
【０１１０】
（４−２）
本実施形態の室外ユニット２０では、制御基板３０は、判定許可部３８ｆをさらに有する。判定許可部３８ｆは、圧縮機制御部３８ｃにより、第１又は第２圧縮機２１，２２の一方が運転中であり、かつ、第１又は第２圧縮機２１，２２の他方が停止中と把握された場合に、判定部３８ｅに判定を許可する。
【０１１１】
つまり、第１又は第２圧縮機２１，２２の一方が運転中で、かつ、第１又は第２圧縮機２１，２２の他方が停止中に、第１および第２受付信号に対応する温度の比較が行われるので、比較される温度の間に差が生じやすい。そのため、正確に信号ケーブル３３ａ，３３ｂの誤接続を判定することが容易である。その結果、信号ケーブル３３ａ，３３ｂの誤接続の影響を受けずに室外ユニット２０を運転可能である。
【０１１２】
（４−３）
本実施形態の室外ユニット２０では、制御基板３０は、警報発報部３８ｈをさらに有する。警報発報部３８ｈは、読替記憶領域３７ａに記憶された信号の読替実行中である旨が記憶されている場合、つまり、読替部３８ｇによる読み替えが実行されている場合に警報を発報する。制御基板３０は、警報が警報発報部３８ｈにより発報されている場合にも、第１および第２圧縮機２１，２２の運転を継続する。
【０１１３】
ここでは、警報が発報されるので、空気調和装置１のユーザや作業員が信号ケーブル３３ａ，３３ｂの誤接続を容易に認識できる。一方、警報の発報中も室外ユニット２０の運転は継続されるので、信号ケーブル３３ａ，３３ｂの誤接続の影響を受けずに室外ユニット２０を運転できる。
【０１１４】
（４−４）
本実施形態の室外ユニット２０では、制御基板３０は、発停指令受付部としての通信部３８ａをさらに有する。通信部３８ａは、室外ユニット２０の起動指令および停止指令を受け付ける。通信部３８ａが停止指令を受け付けた場合に、読替部３８ｇによる読み替えがリセットされる。
【０１１５】
ここでは、室外ユニット２０が停止指令により停止した場合には、信号ケーブル３３ａ，３３ｂの誤接続を解消する作業が実施される場合も多いことから信号の読み替えが一旦リセットされる。一方で、再度室外ユニット２０が起動した場合には、再び信号ケーブル３３ａ，３３ｂの誤接続の判定が行われる。この結果、常に第１および第２センサ５１，５２の信号ケーブル３３ａ，３３ｂに誤接続があるか否かが正しく認識されやすい。
【０１１６】
（５）変形例
以下に本実施形態の変形例を示す。なお、複数の変形例を適宜組み合わせてもよい。
【０１１７】
（５−１）変形例１Ａ
上記の実施形態に示された室外ユニット２０は、空気調和装置１に使用されるものであるが、これに限定されるものではなく、その他の冷凍装置に使用されるものであってもよい。
【０１１８】
（５−２）変形例１Ｂ
上記の実施形態に示された室外ユニット２０では、判定許可部３８ｆは、第１又は第２圧縮機２１，２２の一方が停止しており、他方が稼動している場合に判定部３８ｅに判定を許可するが、これに限定されるものではない。
【０１１９】
例えば、判定許可部３８ｆは、第１又は第２圧縮機２１，２２の周波数（回転数）と、他方の周波数との差が所定値以上離れている場合についても、判定部３８ｅに判定を許可してもよい。供給される周波数の差が所定値以上離れている場合には、第１および第２温度センサ５１，５２の測定値の間に、信号ケーブル３３ａ，３３ｂを判別可能な程度の差が生じる。この場合には、判定が実行可能な時間をより確保しやすくなる。
【０１２０】
（５−３）変形例１Ｃ
上記の実施形態に示された室外ユニット２０では、第１および第２温度センサ５１，５２の信号ケーブル３３ａ，３３ｂの誤接続を判定し、さらに誤接続に対応するものであるが、これに限定されるものではない。
【０１２１】
例えば第１および第２圧縮機２１，２２に各々設置された吐出管圧力センサの信号ケーブルの誤接続検出のために用いられてもよい。また、第１および第２温度センサ５１，５２の信号ケーブル３３ａ，３３ｂと、吐出管圧力センサ信号ケーブルの誤接続の両方を検知するものであってもよい。
【０１２２】
（５−４）変形例１Ｄ
上記の実施形態に示された室外ユニット２０では、第１および第２温度センサ５１，５２の信号ケーブル３３ａ，３３ｂの誤接続を判定し、さらに誤接続に対応するものであるが、これに限定されるものではなく、第１および第２圧縮機２１，２２の配線３２ａ，３２ｂと、第１および第２圧縮機用制御基板６１，６２の端子３５ａ，３５ｂとの誤接続に対応するために用いられてもよい。
【０１２３】
（５−５）変形例１Ｅ
上記の実施形態に示された室外ユニット２０では、警報発報部３８ｈは、通信部３８ａおよび室内ユニットコントローラ４３を介してリモコン９０に警報を発報するが、これに限定されるものではなく、制御基板３０に設けられたランプ等で警報を発報するものであってもよい。
【０１２４】
（５−６）変形例１Ｆ
上記の実施形態に示された室外ユニット２０では、比較部３８ｄは測定された温度自身を比較しているが、これに限定されるものではなく、測定された温度の上昇速度を比較してもよい。判定部３８ｅは、温度の上昇速度の比較結果を基に、信号ケーブル３３ａ，３３ｂの誤接続を判定してもよい。
【０１２５】
＜第２実施形態＞
３台の圧縮機を有する室外ユニット３２０を具備する空気調和装置３０１について図面を参照しながら説明する。
【０１２６】
（１）空気調和装置の概要
図７に、本発明の第２実施形態の室外ユニット３２０を含む空気調和装置３０１の概略構成図を示す。空気調和装置３０１の構成は、室外ユニット３２０を除き第１実施形態と同様である。そのため、室外ユニット３２０以外の説明については省略する。
【０１２７】
また、室外ユニット３２０についても、第３圧縮機２７、第３温度センサ５３、および第３圧縮機用制御基板６３をさらに有する点と、制御基板３３０以外とは、第１実施形態と同様であるので、これら以外の構成についての説明は省略する。
【０１２８】
（２）室外ユニットの詳細構成
（２−１）冷媒配管による構成機器の接続
室外ユニット３２０の構成機器の冷媒配管による接続について説明する。
【０１２９】
第１〜第３圧縮機２１，２２，２７の吸入口２１ｂ，２２ｂ，２７ｂと四路切換弁２３とは、吸入管８１によって接続される。第１〜第３圧縮機２１，２２，２７の吐出口２１ａ，２２ａ，２７ａと四路切換弁２３とは、吐出管８２によって接続される。その他の点は、第１実施形態と同様である。
【０１３０】
（２−２）圧縮機
第１〜第３圧縮機２１，２２，２７はガス冷媒を吸入して圧縮する、インバータ式圧縮機である。第１〜第３圧縮機２１，２２，２７と、後述する第１〜第３圧縮機用制御基板６１，６２，６３とは、それぞれ配線３２ａ，３２ｂ，３２ｃにより接続される。配線３２ａ，３２ｂ，３２ｃは、図８のように、第１〜第３圧縮機用制御基板６１，６２，６３の端子３５ａ，３５ｂ，３５ｃにそれぞれ接続される。
【０１３１】
（２−３）圧縮機用制御基板
第１〜第３圧縮機用制御基板６１，６２，６３は、後述する制御基板３３０の圧縮機制御部３３８ｃからの指示を受け、第１〜第３圧縮機２１，２２，２７を回転されるためのインバータ波形をそれぞれ生成し、第１〜第３圧縮機２１，２２，２７を運転させる。
【０１３２】
第１〜第３圧縮機用制御基板６１，６２，６３は、第１〜第３圧縮機２１，２２，２７の図示しないモータからの配線３２ａ，３２ｂ，３２ｃを接続する端子３５ａ，３５ｂ，３５ｃを有する。第１〜第３圧縮機用制御基板６１，６２，６３と、制御基板３３０とは、配線３９ａにより接続される。
【０１３３】
（２−４）温度センサ
第１〜第３温度センサ５１，５２，５３は、第１〜第３圧縮機２１，２２，２７の吐出口２１ａ，２２ａ，２７ａにそれぞれ設けられている。第１〜第３温度センサ５１，５２，５７は、測定された温度に対応する信号を制御基板３３０に対して送信するための信号ケーブル３３ａ，３３ｂ，３３ｃをそれぞれ有する。信号ケーブル３３ａ，３３ｂ，３３ｃは、後述する制御基板３３０が有する第１〜第３温度センサ用端子３６ａ，３６ｂ，３６ｃに接続される。
【０１３４】
正常な信号ケーブルの接続状態では、図８のように、第１温度センサ５１の信号ケーブル３３ａは第１温度センサ用端子３６ａに、第２温度センサ５２の信号ケーブル３３ｂは第２温度センサ用端子３６ｂに、第３温度センサ５３の信号ケーブル３３ｃは第３温度センサ用端子３６ｃに、それぞれ接続される。その他の点は、第１実施形態と同様である。
【０１３５】
（２−５）制御基板
制御基板３３０は、室外ユニット３２０を制御する。図８に、制御基板３３０を含む空気調和装置３０１の制御ブロック図を示す。
【０１３６】
制御基板３３０は、各種機器からの配線を接続するための端子を有する。端子には、第１〜第３温度センサ５１，５２，５３の信号ケーブル３３ａ，３３ｂ，３３ｃが接続される第１〜第３温度センサ用端子３６ａ，３６ｂ，３６ｃと、第１〜第３圧縮機用制御基板６１，６２，６３からの配線３９ａが接続される圧縮機用端子３９と、を含む。
【０１３７】
制御基板３３０は、ＣＰＵ及びメモリからなるマイクロコンピュータを有し、マイクロコンピュータは記憶部３３７および制御部３３８として機能する。
【０１３８】
記憶部３３７は、読替記憶領域３３７ａおよび停止圧縮機記憶領域３３７ｂを有する。
【０１３９】
制御部３３８は、記憶部３３７に記憶されているプログラムを読み出して実行することにより、通信部３８ａ、信号受付部３３８ｂ、圧縮機制御部３３８ｃ、比較部３３８ｄ、判定部３３８ｅ、判定許可部３３８ｆ、読替部３３８ｇ，警報発報部３８ｈ，時間管理部３８ｉとして機能する。
【０１４０】
（２−５−１）圧縮機用端子
圧縮機用端子３９には、第１〜第３圧縮機用制御基板６１，６２，６３からの配線３９ａが接続される。その他の点は、第１実施形態と同様である。
【０１４１】
（２−５−２）温度センサ用端子
第１〜第３温度センサ用端子３６ａ，３６ｂ，３６ｃには、第１〜第３温度センサ５１，５２，５３からの信号が入力される。その他の点は、第１実施形態と同様である。
【０１４２】
（２−５−３）記憶部
（２−５−３−１）読替記憶領域
読替記憶領域３３７ａには、後述する読替部３３８ｇが信号の読み替えを実行する旨が記憶される。読替記憶領域３３７ａに記憶される情報には、読替部３３８ｇが第１〜第３温度センサ用端子３６ａ，３６ｂ，３６ｃに入力された信号を、後述する第１〜第３受付信号のいずれと読み替えるかに関する情報も含まれる。なお、ここでの読み替えとは、読替部３３８ｇが、第Ｐ温度センサ用端子に入力された信号を、第Ｐ受付信号以外として読み替えている状態をいう（Ｐは１から３の整数）。
【０１４３】
読替記憶領域３３７ａの記憶の書き込みは、後述する判定部３３８ｅの判定に基づいて行われる。また、後述する通信部３８ａが室外ユニット３２０の停止指令を受け付けた場合には、読替記憶領域３３７ａの記憶はリセットされる。
【０１４４】
（２−５−３−２）停止圧縮機記憶領域
停止圧縮機記憶領域３３７ｂには、停止中の第１〜第３圧縮機２１，２２，２７について情報が記憶される。
【０１４５】
停止圧縮機記憶領域３３７ｂの記憶は、後述する判定許可部３３８ｆにより書き込まれる。停止圧縮機記憶領域３３７ｂの記憶の書き込みに関しては後述する。
【０１４６】
（２−５−４）制御部
（２−５−４−１）通信部
通信部３８ａは、第１実施形態におけるものと同様である。
【０１４７】
（２−５−４−２）信号受付部
信号受付部３３８ｂは、第１〜第３温度センサ用端子３６ａ，３６ｂ，３６ｃに入力された信号を受け付ける。具体的には、信号受付部３３８ｂは、第１温度センサ用端子３６ａが受け付けた信号を第１温度センサ５１からの第１受付信号と、第２温度センサ用端子３６ｂが受け付けた信号を第２温度センサ５２からの第２受付信号と、第３温度センサ用端子３６ｃが受け付けた信号を第３温度センサ５３からの第３受付信号と、それぞれみなして受け付ける。
【０１４８】
また、信号受付部３３８ｂは、後述する読替部３３８ｇにより読み替えられている以外の第１〜第３受付信号を、後述する圧縮機制御部３３８ｃおよび比較部３３８ｄに対して送信する。例えば、読替部３３８ｇが、第２温度センサ用端子３６ｂの信号を第１受付信号として読み替え、第１温度センサ用端子３６ａの信号を第２受付信号として読み替えているとすれば、第１および第２受付信号以外、すなわち第３受付信号のみを圧縮機制御部３３８ｃおよび比較部３３８ｄに対して送信する。
【０１４９】
（２−５−４−３）圧縮機制御部
圧縮機制御部３３８ｃは、第１〜第３圧縮機２１，２２，２７を制御対象とする。
【０１５０】
圧縮機制御部３３８ｃは、室外ユニット３２０の起動時において、第１〜第３圧縮機２１，２２，２７を同時に始動するのではなく、第１圧縮機２１、第２圧縮機２２、第３圧縮機２７の順に時間差を設けて始動する。ここでは、圧縮機制御部３３８ｃは、３０秒間隔で、第１圧縮機２１、第２圧縮機２２、第３圧縮機２７の順に圧縮機を始動する。
【０１５１】
なお、圧縮機制御部３３８ｃによる個々の圧縮機の制御については、第１実施形態と同様である。
【０１５２】
（２−５−４−４）比較部
比較部３３８ｄは、送信されてきた第１〜第３受付信号を温度に変換し、それぞれ、第１圧縮機２１の吐出口２１ａにおける第１温度Ｔ１、第２圧縮機２２の吐出口２２ａにおける第２温度Ｔ２、第３圧縮機２７の吐出口２７ａにおける第３温度Ｔ３として算出する。
その後、比較部３３８ｄは、第１〜第３温度Ｔ１，Ｔ２，Ｔ３を比較する。
【０１５３】
具体的には、比較部３３８ｄは、３つの温度差、ΔＴ１２＝Ｔ１−Ｔ２［℃］、ΔＴ２３＝Ｔ２−Ｔ３［℃］、およびΔＴ３１＝Ｔ３−Ｔ１［℃］を比較結果として算出する。
【０１５４】
（２−５−４−５）判定部
判定部３３８ｅは、圧縮機制御部３３８ｃにより把握されている第１〜第３圧縮機２１，２２，２７の運転状態と、比較部３３８ｄの比較結果とを用いて、信号ケーブル３３ａ，３３ｂ，３３ｃの誤接続の判定を行う。
【０１５５】
具体的には、運転中の第１〜第３圧縮機２１，２２，２７に設けられた第１〜第３温度センサ５１，５２，５３の信号ケーブル３３ａ，３３ｂ，３３ｃが、停止中の第１〜第３圧縮機２１，２２，２７に設けられた第１〜第３温度センサ５１，５２，５３の信号ケーブル３３ａ，３３ｂ，３３ｃが接続されるべき第１〜第３温度センサ用端子３６ａ，３６ｂ，３６ｃに誤接続されていないかが判定される。
【０１５６】
判定部３３８ｅによる処理の詳細については後述する。
【０１５７】
（２−５−４−６）判定許可部
判定許可部３３８ｆは、通信部３８ａが起動指令を受け付けた後、判定部３３８ｅが判定処理を終了するまでの間、判定部３３８ｅに判定を許可する。
【０１５８】
また、判定許可部３３８ｆは、停止圧縮機記憶領域３３７ｂに、停止中の第１〜第３圧縮機２１，２２，２７の情報を書き込む。
【０１５９】
判定許可部３３８ｆによる処理の詳細については後述する。
【０１６０】
（２−５−４−７）読替部
読替部３３８ｇは、読替記憶領域３３７ａに読替部３３８ｇが信号の読み替えを実行する旨が記憶されている場合に、その記憶に従って信号の読み替えを行う。なお、読替部３３８ｇは、読替記憶領域３３７ａの記憶がリセットされると、読み替えをリセットする（読み替えを中止する）。
【０１６１】
読替部３３８ｇに読み替えられている第１〜第３受付信号は、圧縮機制御部３３８ｃおよび比較部３３８ｄに送信される。
【０１６２】
（２−５−４−８）警報発報部
警報発報部３８ｈは、第１実施形態におけるものと同様である。
【０１６３】
（２−５−４−９）時間管理部
時間管理部３８ｉは、第１実施形態におけるものと同様である。
【０１６４】
（３）誤接続判定および誤接続対応の制御
以下に、第１〜第３温度センサ５１，５２，５３の信号ケーブル３３ａ，３３ｂ，３３ｃと、第１〜第３温度センサ用端子３６ａ，３６ｂ，３６ｃとが、誤接続であるか否かを判定し、誤接続である場合に信号を読み替える処理フローについて、図９および図１０のフローチャートに基づいて説明する。
【０１６５】
本実施形態では、誤接続を判定する処理は、通信部３８ａが起動指令を受け付けた後、第１〜第３圧縮機２１，２２，２７の全てが運転されるまでの間に実行される。
【０１６６】
まず、ステップＳ４０１では、通信部３８ａが室内ユニットコントローラ４３から起動指令を受け付けたか否かが判断される。条件を満たす場合にはステップＳ４０２に、満たさない場合にはステップＳ４０１に戻る。
【０１６７】
ステップＳ４０２では、判定許可部３３８ｆは、圧縮機制御部３３８ｃにより第１圧縮機２１が始動したと把握された否かを判別する。第１圧縮機２１が始動したと把握されていると判別された場合には、ステップＳ４０３に進む。ステップＳ４０２は、第１圧縮機２１が始動したと、圧縮機制御部３３８ｃにより把握されたと判別されるまで繰り返される。
【０１６８】
ステップＳ４０３では、判定許可部３３８ｆは、判定部３３８ｅに判定を許可する。また、判定許可部３３８ｆは、圧縮機制御部３３８ｃにより停止中と把握される圧縮機、すなわち、ここでは第２および第３圧縮機２２，２７、についての情報を、停止圧縮機記憶領域３３７ｂに書き込む。その後ステップＳ４０４に進む。
【０１６９】
ステップＳ４０４では、時間管理部３８ｉにより、第１圧縮機２１が稼動してから所定時間、例えば２５秒が経過したかが判断される。ステップＳ４０４は、時間管理部３８ｉにより所定時間経過したと判別されるまで繰り返される。その後ステップＳ４０５に進む。
【０１７０】
ステップＳ４０５では、判定部３３８ｅは、停止圧縮機記憶領域３３７ｂの記憶を利用して、運転中と停止中の第１〜第３圧縮機２１，２２，２７の組合せを選択する。具体的には、ここでは第１圧縮機２１のみが運転中であるため、第１圧縮機２１と第２圧縮機２２、第１圧縮機２１と第３圧縮機２７の組合せが判定部３３８ｅにより選択される。その後ステップＳ４０６に進む。
【０１７１】
ステップＳ４０６では、判定部３３８ｅは、比較部３３８ｄに対し、選択された第１圧縮機２１と第２圧縮機２２、および、第１圧縮機２１と第３圧縮機２７、の組合せに対応する比較結果の送信を要求する。
【０１７２】
なお、圧縮機の組合せに対応する比較結果とは、組合せに含まれる第１〜第３圧縮機２１，２２，２７同士の、第１〜第３圧縮機２１，２２，２７の温度とみなされている第１〜第３温度Ｔ１，Ｔ２，Ｔ３の差、すなわちΔＴ１２，ΔＴ２３，ΔＴ３１のいずれかのことである。ここでは、第１圧縮機２１と第２圧縮機２２の温度とみなされる第１温度Ｔ１と第２温度Ｔ２との差ΔＴ１２と、第１圧縮機２１と第３圧縮機２７の温度とみなされる第１温度Ｔ１と第３温度Ｔ３との差ΔＴ３１とが比較結果である。つまり、ここでは、判定部３３８ｅは、ΔＴ１２およびΔＴ３１の送信を要求する。その後ステップＳ４０７に進む。
【０１７３】
ステップＳ４０７では、判定部３３８ｅによりΔＴ１２＞１０℃又は｜ΔＴ１２｜≦１０℃という条件が満たされるか否かが判別される。なお、｜ΔＴ１２｜とは、ΔＴ１２の絶対値を表す。上記の条件を満たす場合には、ステップＳ４０９に進む。一方、条件を満たさない場合、つまりΔＴ１２＜−１０℃の場合には、信号ケーブル３３ａと第２温度センサ用端子３６ｂとが誤接続されていると判定され、ステップＳ４０８に進む。
【０１７４】
ステップＳ４０８では、読替部３３８ｇが、第１温度センサ用端子３６ａに入力される信号を第２受付信号と読み替え、第２温度センサ用端子３６ｂに入力される信号を第１受付信号と読み替える旨が読替記憶領域３３７ａに書き込まれる。その後ステップＳ４１１に進む。
【０１７５】
ステップＳ４０９では、判定部３３８ｅによりΔＴ３１＜−１０℃という条件が満たされるか否かが判別される。この条件を満たす場合には、ステップＳ４１１に進む。一方、この条件を満たさない場合、すなわちΔＴ３１≧−１０℃の場合には、信号ケーブル３３ａと第３温度センサ用端子３６ｃとが誤接続されていると判定され、ステップＳ４１０に進む。
【０１７６】
ステップＳ４１０では、読替部３３８ｇが、第１温度センサ用端子３６ａに入力される信号を第３受付信号と読み替え、第３温度センサ用端子３６ｃに入力される信号を第１受付信号と読み替える旨が読替記憶領域３３７ａに書き込まれる。その後ステップＳ４１１に進む。
【０１７７】
ステップＳ４１１では、判定許可部３３８ｆは、圧縮機制御部３３８ｃにより第２圧縮機２２が始動したと把握された否かを判別する。圧縮機制御部３３８ｃにより第２圧縮機２２が始動したと把握されていると判別された場合には、ステップＳ４１２に進む。ステップＳ４１１は、圧縮機制御部３３８ｃにより第２圧縮機２２が始動したと把握されたと判別されるまで繰り返される。
【０１７８】
ステップＳ４１２では、判定許可部３３８ｆは、圧縮機制御部３３８ｃにより停止中と把握される圧縮機、すなわち、ここでは第３圧縮機２７について停止圧縮機記憶領域３３７ｂに記憶する。その後ステップＳ４１３に進む。
【０１７９】
ステップＳ４１３では、時間管理部３８ｉにより、第２圧縮機２２が稼動してから所定時間、例えば２５秒が経過したかが判断される。ステップＳ４１３は、時間管理部３８ｉにより所定時間経過したと判別されるまで繰り返される。その後ステップＳ４１４に進む。
【０１８０】
ステップＳ４１４では、判定部３３８ｅは、既に誤接続の判定が実施済みの第１圧縮機２１以外の圧縮機について、停止圧縮機記憶領域３３７ｂの記憶を利用して、運転中と停止中の圧縮機の組み合わせを選択する。ここでは、第２圧縮機２２が運転中で、第３圧縮機２７が停止中であるので、第２および第３圧縮機２２，２７の組合せが選択される。その後ステップＳ４１５に進む。
【０１８１】
ステップＳ４１５では、判定部３３８ｅは、比較部３３８ｄに対し、選択された第２圧縮機２２と第３圧縮機２７の組合せに対応する比較結果、すなわちΔＴ２３の送信を要求する。その後ステップＳ４１６に進む。
【０１８２】
ステップＳ４１６では、判定部３３８ｅによりΔＴ２３＞１０℃という条件が満たされるか否かが判別される。この条件を満たす場合には、ステップＳ４１８に進む。一方、条件を満たさない場合、つまりΔＴ２３≦１０℃の場合には、信号ケーブル３３ｂが誤接続されていると判定され、ステップＳ４１７に進む。
【０１８３】
ステップＳ４１７では、読替記憶領域３３７ａの記憶の書き込みが行われる。なお、ステップＳ４１７では、既にステップＳ４０８もしくはステップＳ４１０で読替記憶領域３３７ａの記憶の書き込みが行われていた場合には、その情報も加味した上で読み替えが行われる。具体例を挙げて説明する。
【０１８４】
まず、ステップＳ４０８又はステップＳ４１０が実行されていない場合には、読替部３３８ｇが、第３温度センサ用端子３６ｃの信号を第２受付信号と読み替え、第２温度センサ用端子３６ｂの信号を第３受付信号と読み替える旨が読替記憶領域３３７ａに記憶される。
【０１８５】
一方、例えば、ステップＳ４０８で読替記憶領域３３７ａの記憶の書き込みが行われていた場合には、次のように処理される。
【０１８６】
ステップＳ４０８では、既に第１温度センサ用端子３６ａの信号を第２受付信号と読み替え、第２温度センサ用端子３６ｂの信号を第１受付信号と読み替える旨が読替記憶領域３３７ａに記憶されている。そのため、ステップＳ４１６の判定は、実際には、第１温度センサ用端子３６ａの信号に基づく第２温度Ｔ２と、第３温度センサ用端子３６ｃの信号に基づく第３温度Ｔ３との比較により判定されたことになる。そのため、ここでは、第１温度センサ用端子３６ａの信号を第３受付信号と読み替え、第３温度センサ用端子３６ａの信号を第２受付信号と読み替える。なお、第２温度センサ用端子３６ｂの信号を第１受付信号と読み替える旨の記憶は変更されずそのまま残る。
【０１８７】
ステップＳ４１７において、読替記憶領域３３７ａの記憶の書き込みが終了すると、ステップＳ４１８に進む。
【０１８８】
ステップＳ４１８では、判定許可部３３８ｆは、判定部３３８ｅによる判定の許可を取り消し、ステップＳ４０１に戻る。
【０１８９】
（４）特徴
（４−１）
本実施形態では、空気調和装置３０１の室外ユニット３２０は、第１〜第３の圧縮機２１，２２，２７と、信号ケーブルを有する第１〜第３のセンサ５１，５２，５３と、制御基板３３０とを備える。制御基板３３０は、信号ケーブル３３ａ，３３ｂ，３３ｃが接続される第１〜第３の温度センサ用端子３６ａ，３６ｂ，３６ｃを有し、第１〜第３の圧縮機２１，２２，２７を制御する。第ｋ（ｋは３以下の整数）のセンサは、第ｋの圧縮機２１，２２，２７に設けられ、第ｋの圧縮機２１，２２，２７の運転状態により変化する温度を測定し、測定された温度と対応する信号を温度センサ用端子３６ａ，３６ｂ，３６ｃのいずれかに対して出力する。制御基板３３０は、把握部としての圧縮機制御部３３８ｃと、受付部としての信号受付部３３８ｂと、比較部３３８ｄと、判定部３３８ｅと、読替部３３８ｇとを有する。圧縮機制御部３３８ｃは、第１〜第３の圧縮機２１，２２，２７の運転状態を把握する。信号受付部３３８ｂは、第１〜第３の温度センサ用端子３６ａ，３６ｂ，３６ｃに対して出力された信号を、それぞれ、第１〜第３の圧縮機２１，２２，２７の温度に対応する第１〜第３の受付信号として受け付ける。比較部３３８ｄは、信号受付部３３８ｂが受け付けた第１〜第３の受付信号を第１〜第３温度Ｔ１，Ｔ２，Ｔ３に変換し、第１〜第３圧縮機２１，２２，２７のいずれかの圧縮機の温度と、他の圧縮機２１，２２，２７の温度として比較する。判定部３３８ｅは、圧縮機制御部３３８ｃにより把握された運転状態と、比較部３３８ｄによる温度の比較結果とに基づいて、第Ｑ温度センサ（Ｑは３以下の整数）の信号ケーブルと、第Ｒ（ＲはＱ以外の３以下の整数）温度センサ用端子との誤接続を判定する。読替部３３８ｇは、判定部３３８ｅが誤接続と判定した場合に、第Ｒ温度センサ用端子に対して出力された信号を第Ｑ受付信号と読み替える。
【０１９０】
これにより、室外ユニット３２０の運転中も第１〜第３温度センサ５１，５２，５３の信号ケーブル３３ａ，３３ｂ，３３ｃの誤接続が判定可能で、誤接続が存在する場合にも適切な制御が実行される。つまり、誤接続を修正する配線作業が直ちに必要では無いため、室外ユニット３２０を停止することなく運転継続可能である。
【０１９１】
（５）変形例
以下に本実施形態の変形例を示す。なお、複数の変形例を適宜組み合わせてもよい。また、第１実施形態の変形例１Ａ〜変形例１Ｅの要旨は、第２実施形態にも当てはまる。
【０１９２】
（５−１）変形例２Ａ
上記の実施形態に示された室外ユニット３２０では、３台の圧縮機、第１〜第３圧縮機２１，２２，２７、を備えるが、これに限定されるものではなく、３台以上の圧縮機を有していても構わない。
【０１９３】
（５−２）変形例２Ｂ
上記の実施形態に示された室外ユニット３２０では、室外ユニット３２０が起動指令を受け付けたときに信号ケーブル３３ａ，３３ｂ，３３ｃの誤接続が判定されるが、これに限定されるものではない。
【０１９４】
例えば、第１〜第３圧縮機２１，２２，２７のうち１台又は２台が運転中であり、残りが停止しているタイミングで常に判定を実行してもよい。
【０１９５】
（５−３）変形例２Ｃ
上記の実施形態に示された室外ユニット２０では、判定部３３８ｅにより誤接続が判定された場合に、信号を相互に読み替えているが、これに限定されるものではない。
【０１９６】
例えば、第１温度センサ５１の信号ケーブル３３ａが、第３温度センサ用端子３６ｃに誤接続されていると判定された場合には、第３温度センサ用端子３６ｃの信号の入力を、第１受付信号と読み替えるだけでもよい。
【符号の説明】
【０１９７】
１，３０１  空気調和装置（冷凍装置）
２０，３２０  室外ユニット
２１  第１圧縮機
２２  第２圧縮機
２３  第３圧縮機
３０，３３０  制御基板
３３ａ，３３ｂ，３３ｃ  信号ケーブル
３６ａ  第１温度センサ用端子（第１端子）
３６ｂ  第２温度センサ用端子（第２端子）
３６ｃ  第３温度センサ用端子（第３端子）
３８ａ  通信部（発停指令受付部）
３８ｂ，３３８ｂ  信号受付部（受付部）
３８ｃ，３３８ｃ  圧縮機制御部（把握部）
３８ｄ，３３８ｄ  比較部
３８ｅ，３３８ｅ  判定部
３８ｆ，３３８ｆ  判定許可部
３８ｇ，３３８ｇ  読替部
３８ｈ，３３８ｈ  警報発報部
５１  第１温度センサ（第１センサ）
５２  第２温度センサ（第２センサ）
５３  第３温度センサ（第３センサ）
【先行技術文献】
【特許文献】
【０１９８】
【特許文献１】特開２０１１−１６９４８２号公報
【図１】
0005708517.tif 000002
【図２】
0005708517.tif 000003
【図３】
0005708517.tif 000004
【図４】
0005708517.tif 000005
【図５】
0005708517.tif 000006
【図６】
0005708517.tif 000007
【図７】
0005708517.tif 000008
【図８】
0005708517.tif 000009
【図９】
0005708517.tif 000010
【図１０】
0005708517.tif 000011